Podtech/llm-jp-corpus-v4-ja_patent huggingface dataset:
(57)【要約】【課題】挿し木等の培地用いる植物栽培用オアシス形状は、もろくて手で持つと崩れやすく、手が汚れやすかった。特にオアシスが濡れている時には、表示を行うためのシール等も張れなかった。また植物栽培用オアシスだけでは過湿過乾になりやすく、植物の管理が難しかった。また貯水槽に植物栽培用オアシスを刺し込んだだけでは、給水するたびに植物栽培用オアシスを外さなければならなかった。【解決手段】植物栽培用オアシス本体１に筒体を設ける。筒体の形状は例えば円筒状のブラスチック製の筒２である。植物栽培用オアシスの本体の底部にひも３を取り付け、このひも３の下端を貯水槽６の水８に接した。貯水槽を透明にする事によって潅水のタイミングもすぐに解る。また潅水時に植物栽培用オアシスを外さずに潅水するための注水口である注水パイプが取り付けられているので簡単に潅水が出来る。【選択図】図１
2005192544.tif 000002
【特許請求の範囲】
【請求項１】
側面に、筒体を合体させたことを特徴とする植物栽培用オアシス。
【請求項２】
本体の底部にひもを取り付け、このひもの下端を貯水槽に接したことを特徴とする請求項１記載の植物栽培用オアシス。
【請求項３】
筒体の底部を開放し筒体を貯水槽に合体させたことを特徴とする請求項１記載の植物栽培用オアシス。
【請求項４】
本体にパイプを貫通させ、このパイプの上端を給水口としたことを特徴とする請求項１記載の植物栽培用オアシス。
【発明の詳細な説明】
【技術分野】
【０００１】  この発明は、挿し木等の培地に用いる植物栽培用オアシスの形状に関する。
【背景技術】
【０００２】  従来の挿し木等の培地に用いる植物栽培用オアシスの形状は、図３に示すように、植物栽培用オアシスの本体１の側面及び下部には何も設けられていないものである。
【発明の開示】
【発明が解決しようとする課題】
【０００３】しかしながら、以上の技術によれば、植物栽培用オアシスを手で持った時に崩れやすく、特に植物栽培用オアシスが濡れている場合、手が濡れる事があった。また側面に表示を行うためのシール等を張ることができなかった。また植物栽培用オアシスだけでは過湿過乾になりやすく、植物の管理が難しかった。また貯水槽に植物栽培用オアシスを刺し込んだだけでは、潅水するたびに植物栽培用オアシスを外さなければならなかった。
そこで、この発明は、崩れにくく、側面が濡れずに持てて、尚表示を行うためのシール等が張りやすいことと、植物の栽培管理が誰にでも簡単に出来る植物栽培用オアシスを提供することを課題とする。
【課題を解決するための手段】
【０００４】  以上の課題を解決するために、第一発明は、側面に筒体を設けたことを特徴とするオアシスである。
また、第二発明は、本体の底部にひもを取り付け、このひもの下端を貯水槽に接したことを特徴とする植物栽培用オアシスである。
また第三発明は貯水槽を合体させたことを特徴とする植物栽培用オアシスである。
また第四発明は注水口を設けたことを特徴とする植物栽培用オアシスである。
【発明の効果】
【０００５】  第一発明によれば、植物栽培用オアシスの側面に筒体を設けたので、側面が崩れにくくまた手が濡れずに持ちやすい。また表示を行うためのシール等も張りやすい。第二発明、第三によれば、本体の底部に底面潅水用のひもを取り付け、このひもの下端を貯水槽の水に接したことにより植物の培地に当たる植物栽培用オアシスの過湿過乾が無くなり、また潅水の回数を減らせる事が出来る、また貯水槽を透明にする事によって潅水のタイミングもすぐに解る。第三発明によると潅水時に植物栽培用オアシスを外さずに潅水するための注水口である注水パイプが取り付けられているので簡単に潅水が出来る。
【発明を実施するための最良の形態】
【０００６】  この発明の一実施形態を、図１に示す。
植物栽培用オアシスの本体１は軟質発砲樹脂製であり、この本体１の上部に植物７が植えられている。この本体１の側面には、プラスチック製の筒体２が一体的に取り付けられている。また本体１から下方に貯水槽６が設けられており、貯水槽６と本体１が適度な保水量を保つ為の空間４が設けられている。また植物栽培用オアシスの本体１の底には底面潅水用のひも３が適度な保水量を保つ為の空間４を通って貯水槽６内の水８に接するように取り付けられている。またプラスチック製の筒体２に接続された状態で貯水槽６が取り付けられている。また植物栽培用オアシスの本体１の上部から下部にパイプが貫通した状態で給水用の注水口５が付けられている。【０００７】「実施形態の効果」
この実施形態によれば、プラスチック製の筒２の働きで、本体１が濡れている場合でもプラスチック製の筒２の側面の外側は濡れていない、したがって本体１をつかんだときに手が濡れず、表示を行うためのシールも張る事が出来る。また本体１は軟らかく崩れやすいが、プラスチック製の筒２の働きで本体１を保護している為、手で持っても崩れない。また植物栽培用オアシスの底に取り付けられた底面潅水用のひも３と適度な保水量を保つ為の空間４の働きで植物の培地に当たる植物栽培用オアシスの過湿過乾が無くなりいつも一定の水分量を保つ事が出来る、また貯水槽６の働きで潅水の回数を減らせる事が出来る、また貯水槽６を透明にする事によって潅水のタイミングもすぐにわかる。また潅水時に植物栽培用オアシスを外さずに潅水するための注水パイプ５が取り付けられているので簡単に潅水が出来る。【０００８】「他の実施形態」
図１の実施形態では、筒体はプラスチック製の筒２であったが、他の実施形態では、筒体の素材は紙、布、陶器、ガラス、金属、木材、石などに置き換えたものでも良い。
図１の実施形態では、筒体はプラスチック製の筒２であったが、他の実施形態では、多角形の筒状または球状などと置き換えたものでも良い。
図１の実施形態では、底面供水用のひも３は化学繊維で出来た布状のものであったが、他の実施形態では、天然繊維、スポンジ、ガラス繊維、紙、陶器、石など多孔質物質の給水性の良い物質に置き換えたものでも良い。
図１の実施形態では、貯水槽６の素材はプラスチックであったが他の実施形態では、陶器、ガラス、金属、石などに置き換えたものでも良い。
図１の実施形態では、プラスチック製の筒２に貯水槽６が合体したものであったが、他の実施形態では、貯水槽６が別に切り離された状態図３のものでも良い。
図１の実施形態では、注水口５はプラスチックの中空状の円筒であったが、他の実施形態では、多角形の中空状の筒に置き換えたものでも良い。
【図面の簡単な説明】
【０００９】
【図１】この発明の一実施形態を示す斜視図である。
【図２】この発明の一実施形態を示す斜視図である。
【図３】従来技術を示す斜視図である。
【符号の説明】
【００１０】      １  植物栽培用オアシス本体        ２  プラスチック製の筒
３  底面潅水用のひも              ４  空間
５  注水口                        ６  貯水槽
７  植物                          ８  水
【図１】
2005192544.tif 000003
【図２】
2005192544.tif 000004
【図３】
2005192544.tif 000005
(57)【要約】【課題】従来のビールあるいは発泡酒の製造設備を用い、酒類（主にビール、発泡酒）の副原料としてウコンを使用することで、ホップの持つ効果を代替、又は補強しつつ、ウコンの持つ肝機能向上や着色といった特徴がある酒類（主にビール、発泡酒）の製造方法の提供を課題とする。【解決手段】酒類（主にビール、発泡酒）製造工程において、いずれかで生ウコンもしくは加工された粉末などのウコンを投入し、ウコンの成分を抽出することで、ビールもしくは発泡酒の製造工程中の煮沸工程で添加されるホップの使用を抑えられ、さらにウコンのもつクルクミンによる肝機能向上などの特徴を持った酒類を製造する。【特許請求の範囲】
【請求項１】
ビール・発泡酒を製造する工程において、ウコン類を使用して、又は、ウコン類の成分抽出物や加工品を使用して、ウコンの持つ肝臓疾患の予防・改善効果や苦味、色などを特徴とするビール・発泡酒の製造。
【発明の詳細な説明】
【技術分野】
【０００１】  本発明は、ウコンの成分を使用した酒類（主にビール、発泡酒）に関するものである。
【背景技術】
【０００２】  従来、酒税法の改正により地ビールメーカーが各地に誕生し、オリジナリティーある果実などを用いた酒類（主にビール、発泡酒）を開発して来ました。【０００３】  しかしながら、これらは主に風味付けと味付けが目的であり、ホップが持つ効果である苦味付けや防腐効果について代替されるものではなく、又、飲酒による疾病が多い肝臓疾患の予防・改善に有効な成分を含むなどの効果を期待できるビール・発泡酒ではなかった。
【発明の開示】
【発明が解決しようとする課題】
【０００４】  解決しようとする問題点は、ホップの持つ効果を代替、又は補強できる原料がなく、又、肝臓の働きを活性化するなどの効果を持ったビール・発泡酒が製造されていない。
【課題を解決するための手段】
【０００５】  そこで本発明は、ホップの持つ苦味付け、防腐効果などを持ちつつ、色付けや肝臓の働きを活発にする成分を含むビール・発泡酒を提案するものである。
【課題を解決するための手段】
【０００６】  前記課題を解決するため、本発明においてはウコンを使用して酒類（主にビール、発泡酒）を製造する。ウコンは、ホップの持つ苦味・防腐に類する特長を持ち、肝臓の働きを活発にする成分も持っており、さらに酒類に着色もでき、これらの特徴を持った酒類（主にビール、発泡酒）を製造出来る。
【発明の効果】
【０００７】  以上の通り、本発明によるとホップに類する効果を補いつつ、さらに飲酒による疾病の多い肝臓疾患の予防・改善に効果をもつ成分を含有するビール・発泡酒を得ることが出来る。
【発明を実施するための最良の形態】
【０００８】  本発明を実施するための最良の工程について説明するが、ウコンの使用量についてはあくまで目安であり、実際の仕込み時の濃度などによって変動する。【０００９】  ビール・発泡酒の製造工程において、通常糖化液にホップを入れて煮沸抽出する工程時に、ホップの代替もしくは併用としてウコンを液重量の約５％添加し、３０分間煮沸抽出する。又、煮沸途中で、香り付けの為に行われるアロマホッピングなどは、通常通り行ってかまわない。製品として色を抑えたい時や、製造機械に着色を防ぎたいときは、苦味をもつ香辛料のフェネグリークを使用し、ウコンとブレンドすると良い。又、果実ピューレや穀物を併用してもかまわない。【００１０】  なお、上記工程は本発明の好適な形態の一例ではあるがこれに限定されるものではなく、本発明の要旨を逸脱しない範囲において種々変更実施可能であり、販売、展示に供してもよい。
【実施例１】
【００１１】  以下に、本発明の実施例についてフローに基づいて説明する。【００１２】  本発明の一例のフローを図１に示す。なお以下において説明する実施例においては本発明に係る酒類の製造はビール・発泡酒製造に適用した場合を示す。しかし、本発明に係る酒類の製造はビール・発泡酒に限られず、リキュールやその他酒類全般に適用することも出来る。なお、本明細書においては、ウコンと記載しているが、ターメリックなど一般にウコンと同等、又は、類似する種類を含むものとする。【００１３】  ウコンを使用した種類の製造において、生ウコン、粉末ウコン、ウコンエキスや、春ウコン、秋ウコン等どのウコンを使っていくかが問題になってくるが、求める酒類によって使い分ける方法が良い。たとえば、色を抑え肝臓機能の予防・改善に重点をおいた種類を求める時は生ウコンの特に春ウコンを使用すると良いし、又は、色を付け苦味を抑えたいときは粉末ウコンで秋ウコンを使うと良いと思われる。【００１４】  次に、ウコンをどの時点で使用するかが問題となるが、ウコンは香りに癖があることと、ウコンの成分の抽出の２点において通常のホップ同様モルト煮沸時に使用する方法が最良と思われる。他に考えられる使用箇所は、糖化・発酵・充填時が良いと思うが、求める酒類の味や香りなどの特徴に関係しているので使い分けると良い。今回は、前述の通り煮沸時に投入する方法を示す。【００１５】  後は、特筆すべき工程もなく、通常通り製造すれば良いのだが、注意点として、製造ラインにおいて着色（特にゴムパッキン）がある事と、独特の香りが出るので、製造前に考慮すべきであり、対処の一例としては、ウコンを香辛料のフェネグリークと併用すると良い。
【産業上の利用可能性】
【００１６】  近年のストレス過多の社会において陥りやすい日々の飲酒に伴った肝臓疾患に効果があり、ウコンをそのまま服用するよりも美味しく楽しく飲めるので、今後幅広い酒類（主にビール、発泡酒）の開発に適応できる。
【図面の簡単な説明】
【００１７】
【図１】本発明に係る一例の工程を示したフローチャートである。
【図１】
2005192542.tif 000002
(57)【要約】【目的】  本発明は、健康食品として価値の高いさつま芋シューマイ等の薄皮にさつま芋の成分を含有させ、食感、味、香り、色調を改善し、食べた時の薄皮と中のさつま芋あんとの違和感をなくすと共に、さらに美味しいさつま芋シューマイ等の包皮食品を提供することにある。【構成】  小麦粉を主原料にさつま芋の成分を、粉、フレーク、加熱調理して皮と両端の繊維質の多い部分を除いた固形、又は、潰したさつま芋あんの形態で５〜４０％重量配合し、適量の水分を加えながら充分練り上げ厚さ０．３〜０．８ｍｍ位に圧延し、所用の大きさに成形した薄皮で、加熱調理し潰したさつま芋あんを包み、薄皮が蒸し上がる程度蒸し、又は、薄皮に黒焦げ部ができないよう焼き上げる事を特徴とする。【特許請求の範囲】
【請求項１】
小麦粉が主原料で水分を除き、さつま芋の成分を５〜４０％重量位含有した厚さ０．３〜０．８ｍｍ位の包皮食品用薄皮
【請求項２】
請求項１の包皮食品用薄皮でさつま芋あんを包み、蒸し上げる事を特徴とする包皮食品。
【請求項３】
請求項１の包皮食品用薄皮でさつま芋あんを包み、オーブン等で黒焦げ部ができないよう焼き上げた包皮食品。
【発明の詳細な説明】
【発明の詳細な説明】
【技術分野】
【０００１】  本発明はさつま芋の成分を含有させ、食感、風味、香り、着色性等を改良したさつま芋シューマイ等の包皮食品用薄皮とそれでさつま芋あんを包んださつま芋シューマイ等の包皮食品に関するものである。
【背景技術】
【０００２】  従来、小麦粉が主原料のシューマイ用薄皮にさつま芋あんを包み、蒸し上げたさつま芋シューマイはあった。
【発明が解決しようとする課題】
【０００３】  従来のさつま芋シューマイは小麦粉が主原料の薄皮を使用していたので、小麦粉の臭いがすると共に食べた時、中のさつま芋あんと薄皮との味に少し違和感があった。又、色調も中のさつま芋あんの色が透けて見える程度で薄く、彩りや変化に乏しかった。本発明はこれらの欠点を解決する為になされたものである。
【課題を解決するための手段】
【０００４】  小麦粉を主原料にさつま芋の成分を、粉、フレーク、加熱調理して皮と両端の繊維質の多い部分を除いた固形、又は、潰したあんの形態で５〜４０％重量含有するように配合し、適量の水分を加えながら充分練り上げ、厚さ０．３〜０．８ｍｍ位に圧延し、所用の大きさの薄皮に成形する。そして、この薄皮でさつま芋を加熱調理し潰したさつま芋あんを包み、薄皮やさつま芋あんに混ぜた具が蒸し上がる程度蒸す。又は、オーブン等で薄皮に黒焦げ部ができないよう焼き上げる。
【発明を実施するための最良の形態】
【０００５】  以上のような製造法、構成でさつま芋の含有率が低いとさつま芋の味と香りがせず、高いと粘度がなくなり、こしの弱い薄皮になるので、主原料である小麦粉に混ぜるさつま芋の成分量は水分を除き、混合した全体の５〜４０％重量が限度である。望ましくは１０〜２０％程度である。さつま芋の成分量が２０％重量位を超えると段々粘度がなくなり、こしの弱い破れやすい薄皮になるので片栗粉、葛粉、その他澱粉質の原料を単独、又は、混合して５〜３０％重量混ぜ、その分小麦粉を減らしてもよい。尚、薄皮の原料に混ぜるさつま芋の種類により、黄色、橙色、紫色等の自然着色ができると共に配合割合で色の濃淡も調整できる。又、薄皮に混ぜるさつま芋の種類と中に包むさつま芋あんの種類は、同種が良いが異種や混合種でも良い。その他、さつま芋入り薄皮で、加熱調理し、潰したさつま芋あんを包み、蒸し上げて提供するのが基本であるが、オーブン等で薄皮に黒焦げ部ができないよう焼き上げて、薄皮ごと食べられる焼き芋風包皮食品として提供しても良い。
【実施例】
【０００６】  以下、本発明の実施例について説明する。
（イ）  重量で小麦粉８０ｇ、さつま芋粉２０ｇ位の割合で配合し、均等に混ざるよう良く混ぜ合わせる。
（ロ）  小麦粉とさつま芋粉の混合粉に適量の水、又は、お湯を加えながら耳たぶ位の固さになるよう充分練り上げる。
（ハ）  充分練り上げた後、２０分以上寝かし、打ち粉を振りながら小分けし、伸し棒で厚さ０．３〜０．８ｍｍｍ位に圧延し、所用の大きさに成形する。
（ニ）  上記のさつま芋粉を含有させた包皮食品用薄皮で、加熱調理し潰したさつま芋あんを包み、薄皮が蒸し上がる程度蒸す。又は、オーブン等で薄皮に黒焦げ部ができないよう焼き上げる。【０００７】  以上のような製造法、構成であるが機械で大量生産してもよく、又、蒸し上げたり、焼き上げたりした後、冷まして急速冷凍し、冷凍食品として提供してもよい。
【発明の効果】
【０００８】  本発明は、以上のような製造法、構成であるから次のような効果がある。
【０００９】  請求項１の包皮食品用薄皮はさつま芋の成分を含有しているので、これでさつま芋あんを包み、シューマイ等の形状で提供すれば、食べた時、薄皮自体さつま芋の味と香りがするので、中のさつま芋あんとの違和感がなく美味しくたべられる。尚、含有させるさつま芋の種類や含有率により、色合いや濃淡を調整できるので、天然着色による色調の良いさつま芋シューマイ等を提供できる。
【００１０】  請求項２の包皮食品はさつま芋あんを包み蒸し上げたもので、油分を摂取したくない人でも美味しくたべられる。尚、冷凍保存がきくので食べたい時、電子レンジで解凍暖めするだけで出来立ての味を味わえる。よって、子供のおやつ、ファーストフード用食品、産地の土産物に適し、さつま芋の消費拡大に役立つ。
【００１１】  請求項３の包皮食品はさつま芋あんを包み焼き上げたもので、皮ごと食べられる焼き芋風で香ばしい香りと味が楽しめる。これも冷凍保存がきくので、甘味料や保存料を使用しなくても製造でき、さつま芋のビタミン類や栄養素を損なう事なく提供できる。尚、生さつま芋は保存が難しいが収穫時期に大量生産して冷凍保存しておけば通年出荷できる。